(57)【要約】【課題】本発明は、２パラメータのアナログ量を画面に入力し、出力値を出力画面に表示することにより、２パラメータのアナログ量を各種装置に容易に入力することができる。【解決手段】本発明による２次元平面を利用した２パラメータデータの入力方法は、２パラメータのアナログ量を２次元平面である入力画面(100)上にプロットすることにより、前記２パラメータのデータを表示して出力を出力画面(101)に表示する方法である。【選択図】図１
2005322037.tif 000002
【特許請求の範囲】
【請求項１】
２パラメータのアナログ量を持つ条件を入力して表示するようにした２次元平面を利用した２パラメータデータの入力方法において、
前記アナログ量を２次元平面である入力画面(100)上にプロットすることにより、前記２パラメータのデータを表示することを特徴とする２次元平面を利用した２パラメータデータの入力方法。
【請求項２】
前記プロットを複数することにより複合された条件の表示を行うことを特徴とする請求項１記載の２次元平面を利用した２パラメータデータの入力方法。
【請求項３】
前記プロット完了毎に条件入力完了として出力が計算され、利用者は前記出力を評価し、求める前記出力が得られるように既にプロットされたものを移動、削除、あるいは、新規にプロットすることで前記条件設定の変更を行うことを特徴とする請求項１又は２記載の２次元平面を利用した２パラメータデータの入力方法。
【発明の詳細な説明】
【技術分野】
【０００１】
本発明は、２次元平面を利用した２パラメータデータの入力方法に関し、特に、アナログ量を２次元平面上にプロットすることで２パラメータデータの表現を容易にし、最適な入力値を入力することを可能として人間の直感に合致した容易な入力操作を行うようにするための新規な改良に関する。
【背景技術】
【０００２】
従来、用いられていたこの種の２パラメータを有する複数のアナログ量による条件設定を行う必要がある場合、例えば、事前に決められた組合せで入力を行っていた。
【発明の開示】
【発明が解決しようとする課題】
【０００３】
従来の２パラメータデータの入力方法は、以上のように構成されていたため、次のような課題が存在していた。
すなわち、例えば、事前に決められた組合せしか入力できないため、利用者の感覚に合致した入力が不可能であった。
従って、利用者の感覚あるいは直感に合致したような入力の仕方は不可能であった。
【課題を解決するための手段】
【０００４】
本発明による２次元平面を利用した２パラメータデータの入力方法は、２パラメータのアナログ量を持つ条件を入力して表示するようにした２次元平面を利用した２パラメータデータの入力方法において、前記アナログ量を２次元平面である入力画面上にプロットすることにより、前記２パラメータのデータを表示する方法であり、また、前記プロットを複数することにより複合された条件の表示を行う方法であり、また、前記プロット完了毎に条件入力完了として出力が計算され、利用者は前記出力を評価し、求める前記出力が得られるように既にプロットされたものを移動、削除、あるいは、新規にプロッシすることで前記条件設定の変更を行う方法である。
【発明の効果】
【０００５】
本発明による２次元平面を利用した２パラメータデータの入力方法は、以上のように構成されているため、次のような効果を得ることができる。
すなわち、２パラメータを持つアナログ量を２次元平面上のプロット位置により表現できるため、人間の直感に合致した容易な入力操作を行うことが可能となり、求めるべき結果の精度向上を図ることができる。
【発明を実施するための最良の形態】
【０００６】
本発明は、２パラメータを持つアナログ量を２次元平面上のプロット位置により表現でき、人間の直感に合致した容易な入力操作を行うことができるようにすることを目的とする。
【実施例】
【０００７】
以下、図面と共に、本発明による２次元平面を利用した２パラメータデータの入力方法の好適な実施の形態について説明する。
図１は本発明による入力方法の一例を示している。
すなわち、図１では入力値のパラメータとして、入力値の包含(include)／除外(exclude)をパラメータ１とし、入力値の正確さ(accurate)／不正確さ(inaccurate)をパラメータ２として設定した上で、点Ａから点Ｃの３プロットを行った。
【０００８】
前述の各プロットの意味は、この入力値を例えばセンサ観測値と仮定した場合、
−プロットＡ：センサ１観測値→正確さhigh、採用すべき
−プロットＢ：センサ２観測値→正確さlow 、だが（重要値につき)採用すべき
−プロットＣ：センサ３観測値→正確さmiddle、だが(重要度が低いので)棄却すべき
として表現することができる。すなわち、センサ１は信頼できる情報でシステムに入力すべき情報、センサ２は（センシングデバイスの能力などにより）正確さは低いがシステムには重要であるのでシステムに入力すべき情報、センサ３は正確さは低くはないがこのシステムには重要ではないのでシステムに入力しなくてよい情報であることを示す。
利用者は、データの処理効果を確認し、それに応じて各センサの観測値の扱いを２次元平面上のプロット位置を変えるだけで容易に変更できる。あるいはまた、新たなセンサが加わった場合はそれに対応したプロットを追加するだけでよい。
【０００９】
従って、本発明によれば、２パラメータを持つアナログ量をシステムに複数入力する必要があるタスクにおいて、人間の直感に合致した容易な入力操作を行うことが可能となる。これにより、求めるべき結果の精度向上を図ることができる。
あるいはまた、求めるべき結果の精度を容易に向上させ得るデータ入力方式の発明である。
【００１０】
前述の図１の入力画面に対してその出力画面は図２の通りであり、このシステムの処理手順のフローチャートは図３に示される通りである。
すなわち、図３において、処理手順が開始(第１ステップ：１０)され、複数データの入力（第２ステップ：１１)が入力画面１００で行われ、データの処理（第３ステップ：１２）が行われてデータの出力が出力画面１０１で行われる。
【００１１】
前記出力画面１０１に各データに対して、評価(第５ステップ：１４）が行われ、その結果、採用／不採用の指定が行われて処理が終了される（第７ステップ：１６）。
【００１２】
また、前述の第５ステップ：１４における評価において、各データの移動、追加、削除等を行う場合、すなわち、入力済みデータの座標位置移動、新規データ入力、入力済みデータの削除を行う場合は、第３ステップ：１２のデータ処理を行うことにより入力画面１００上の入力データの変更を行うことができる。
【００１３】
従って、前述の実施の形態により、２パラメータのアナログ量を持つ条件入力において、入力量を容易に連続的に設定することが可能、データ入力の入力量に応じて出力された結果を評価し、入力量の調整が容易に可能、２パラメータのアナログ量を２次元平面(入力画面１００)上にプロットして表現することが可能、この入力画面１００上に複数プロットすることにより複合された入力条件の表現が可能、また、プロット完了ごとに条件入力完了として出力が計算され、利用者は出力の状態を評価し、求める出力が得られるように既にプロットされたものを移動、削除、あるいは新規プロットすることによって条件設定の変更が可能である。
【００１４】
すなわち、入力画面１００における２次元平面上で直交する２軸に各々パラメータ属性を割り付け、利用者は設定したい条件に応じて２パラメータ各々のアナログ量を勘案し、入力データを必要なだけ入力画面１００にプロットする。
前記第３ステップ：１２のデータの処理においては、情報検索や機械制御などの所要の予め規定された処理が入力データの値に応じて実行され、その出力が出力画面１０１に表示される。
【００１５】
また、利用者は、前述の出力結果を評価し、求める結果となるように入力データを調整する必要がある場合、前述のように、既にプロットされているデータの位置移動、削除、あるいは、新規プロットの追加等の簡易な操作で条件変更を容易に行うことができる。
【産業上の利用可能性】
【００１６】
本発明は、２パラメータデータに限らず、他のパラメータデータ及び一般データの入力処理にも適用可である。
【図面の簡単な説明】
【００１７】
【図１】本発明による２次元平面を利用した２パラメータデータの入力方法の入力画面を示す構成図である。
【図２】図１の入力画面に対する出力画面を示す構成図である。
【図３】本発明の処理手順のフローチャートである。
【符号の説明】
【００１８】
１００    入力画面
１０１    出力画面
【図１】
2005322037.tif 000003
【図２】
2005322037.tif 000004
【図３】
2005322037.tif 000005